(57)【要約】【課題】均一な厚さと気密性とを確保するために上方の板と下方の板との間に配置されていない柔軟なプリント基板を有するタッチパネルを提供すること。【解決手段】タッチパネルの上方の板の１つの側部は下方の板の側部から突出し、静電容量の変化又は電圧の変化を感知する前記上方の板の感知領域又は導電層の信号は前記上方の板の前記側部の下面へ送られ、静電容量の変化又は電圧の変化を感知する前記下方の板の感知領域又は導電層の信号は導電接着剤を経て前記上方の板の下面及び前記上方の板の前記側部の下面へ送られ、これらの信号を受けるために前記上方の板の前記側部の下面に柔軟なプリント基板が取り付けられている。前記プリント基板が前記上方の板と前記下方の板との間に挟まれていないため、前記タッチパネルの全ての層を均一にかつ密接して結合することができ、前記タッチパネルの内部への空気の侵入により生じる接触感度の低下を防ぐことができる。【選択図】図１
0003166451.tif 000002
【実用新案登録請求の範囲】
【請求項１】
下面と、該下面に形成された電磁シールド層と、上面と、該上面に形成され、第１方向に平行に整列された複数の下方感知領域であってそれぞれが連続的に接続された複数の下方感知ユニットを有する複数の下方感知領域と、それぞれが前記第１方向の一方の最外側の下方感知ユニットの縁部に形成された複数の第１下方ポートと、前記上面の縁領域に集中的に形成された複数の第２下方ポートであって該第２下方ポートの数が前記第１下方ポートの数と一致する複数の第２下方ポートと、それぞれが前記上面に固定され、前記第１下方ポートと前記第２下方ポートとに接続された複数の下方ワイヤとを備える下方の板と、
前記下方の板の上に形成され、前記第２下方ポートを覆う異方性導電膜と、
前記下方の板の上に形成された絶縁層と、
前記異方性導電膜及び前記絶縁層の上にあって前記下方の板より大きい上方の板であって前記第２下方ポートを有する前記下方の板の側部から突出する側部と、下面と、該下面に形成され、前記第１方向と直交する第２方向に平行に整列された複数の上方感知領域であってそれぞれが連続的に接続された複数の上方感知ユニットを有する複数の上方感知領域と、それぞれが前記第２方向の一方の最外側の上方感知ユニットの縁部に形成された複数の第１上方ポートと、それぞれが前記下面に形成され、前記突出する側部へ伸びる複数の第２上方ポートであって該第２上方ポートの数が前記第１上方ポートの数と一致する複数の第２上方ポートと、それぞれが前記下面に形成され、前記突出する側部へ伸びる複数の転送ポートであって該転送ポートの数が前記第２下方ポートの数と一致し、各転送ポートの１つの端部が前記第２下方ポートに対応しかつ電気的に接続されている複数の転送ポートと、それぞれが前記下面に固定され、前記第１上方ポートと前記第２上方ポートとに接続された複数の上方ワイヤとを備える上方の板と、
前記上方の板の前記突出する側部の下面に取り付けられ、前記第２上方ポートと前記転送ポートとに電気的に接続された柔軟なプリント基板とを含む、タッチパネル。
【請求項２】
前記上方感知ユニットは前記下方の板の前記下方感知ユニットで満たされていない部分に対応している、請求項１に記載のタッチパネル。
【請求項３】
前記上方感知ユニット及び前記下方感知ユニットのそれぞれは酸化インジウムスズからなる、請求項１又は２に記載のタッチパネル。
【請求項４】
前記下方ワイヤ及び前記上方ワイヤのそれぞれは導電性の銀線である、請求項１又は２に記載のタッチパネル。
【請求項５】
前記下方ワイヤ及び前記上方ワイヤのそれぞれは導電性の銀線である、請求項３に記載のタッチパネル。
【請求項６】
前記電磁シールド層は酸化インジウムスズからなる、請求項１又は２に記載のタッチパネル。
【請求項７】
前記電磁シールド層は酸化インジウムスズからなる、請求項３に記載のタッチパネル。
【請求項８】
下方の板と、
前記下方の板の上に形成された下方の導電層であって少なくとも１つの下方電極を有し、該下方電極の１つの端部が前記下方の導電層の１つの側部へ伸びる下方の導電層と、
前記下方の導電層の上に形成された分離層と、
前記下方の導電層の上に形成され、前記分離層の縁部を取り巻き、前記下方電極を覆う絶縁層であって前記下方電極に対応しかつ接するためにそれぞれが前記絶縁層の位置に接着された複数の導電接着剤を有する絶縁層と、
前記分離層及び前記絶縁層の上に形成され、前記下方の板より大きい上方の導電層であって前記下方電極を有する前記下方の板の側部から突出する側部と、前記上方の導電層の下面に形成され、前記下方の板の３つの側部に平行に伸びる少なくとも１つの上方電極であって該上方電極の端部が前記突出する側部へ伸びる少なくとも１つの上方電極と、それぞれが前記突出する側部の下面に形成された複数の転送ポートであって該転送ポートの数が下方電極の数と一致し、各転送ポートが前記絶縁層の前記導電接着剤の１つに接する複数の転送ポートとを有する上方の導電層と、
前記上方の導電層の上にある上方の板と、
前記突出する側部の下面に取り付けられ、前記転送ポートと前記上方電極の前記端部とに電気的に接続された柔軟なプリント基板とを含む、タッチパネル。
【請求項９】
前記上方電極及び前記下方電極のそれぞれは銀電極である、請求項８に記載のタッチパネル。
【請求項１０】
前記上方の導電層及び前記下方の導電層のそれぞれは酸化インジウムスズからなる、請求項８又は９に記載のタッチパネル。
【請求項１１】
前記導電接着剤は異方性導電接着剤である、請求項８又は９に記載のタッチパネル。
【請求項１２】
前記導電接着剤は異方性導電接着剤である、請求項１０に記載のタッチパネル。
【考案の詳細な説明】
【技術分野】
【０００１】
本考案は、比較的高い感度と均一な厚さとを有するタッチパネルに関する。
【背景技術】
【０００２】
タッチパネルは、静電容量式タッチパネル、抵抗膜式タッチパネル、表面弾性波式タッチパネル、赤外線式タッチパネル等に分類される。これらのうち前記静電容量式タッチパネル及び前記抵抗膜式タッチパネルはマーケットシェアにおいて主導的地位を得ている。前記静電容量式タッチパネル及び前記抵抗膜式タッチパネルの背景にある技術は、触れられた点で生じた静電容量及び電圧の変化に基づいて前記点の位置を決定する。構造的に前記静電容量式タッチパネル及び前記抵抗膜式タッチパネルのいずれも一般に上方の基板と下方の基板とを備える。対向する前記上方の基板の面及び前記下方の基板の面のそれぞれは、前記静電容量又は前記電圧の変化を感知する酸化インジウムスズ（ITO）層を有する。前記変化を示す信号を出力するために前記酸化インジウムスズ層は１本のワイヤ又は複数のワイヤに接続されている。ワイヤの１つの端部は前記上方の基板及び前記下方の基板の対向する２つの側部の一方へ伸びている。柔軟なプリント基板（PCB）が前記上方の基板と前記下方の基板との間に挟まれかつ前記ワイヤを経て送られた信号を受けるために該ワイヤの前記端部に接続されている。
【考案の概要】
【考案が解決しようとする課題】
【０００３】
従来のタッチパネルでは、前記上方の基板と前記下方の基板との間に前記プリント基板が介在するため、該プリント基板が前記上方の基板と前記下方の基板との間に挿入されている位置の厚さが必然的に増し、前記タッチパネルの厚さが不均一になる。このような不均一な厚さは前記タッチパネルの外観の美的な魅力に悪影響を与える。前記プリント基板が配置されている前記タッチパネルの位置に隙間が形成されやすい。前記隙間を経て前記タッチパネルの内部に空気が入ると、該タッチパネルの使用上の感度が低下する。このため、前記タッチパネルは構造的な制約を受ける。
【０００４】
本考案の目的は、均一な厚さと気密性とを確保するために上方の板と下方の板との間に配置されていない柔軟なプリント基板を有するタッチパネルを提供することである。
【課題を解決するための手段】
【０００５】
前記目的を達成するため、本考案に係るタッチパネルは、下方の板と、異方性導電膜と、絶縁層と、上方の板と、柔軟なプリント基板とを含む。
【０００６】
前記下方の板は、電磁シールド層と、複数の下方感知領域と、複数の第１下方ポートと、複数の第２下方ポートと、複数の下方ワイヤとを備える。
【０００７】
前記電磁シールド層は前記下方の板の下面に形成されている。前記下方感知領域は、前記下方の板の上面に形成され、第１方向に平行に整列されている。各下方感知領域は、連続的に接続された複数の下方感知ユニットを有する。各第１下方ポートは、前記第１方向の一方の最外側の下方感知ユニットの縁部に形成されている。前記第２下方ポートは、前記下方の板の前記上面の縁領域に集中的に形成されている。前記第２下方ポートの数は前記第１下方ポートの数と一致している。各下方ワイヤは前記第１下方ポートと前記第２下方ポートとに接続されている。
【０００８】
前記異方性導電膜は、前記下方の板の上に形成され、前記第２下方ポートを覆っている。
【０００９】
前記絶縁層は前記下方の板の上に形成されている。
【００１０】
前記上方の板は、前記異方性導電膜及び前記絶縁層の上にあり、前記下方の板より大きい。前記上方の板は、側部と、複数の上方感知領域と、複数の第１上方ポートと、複数の第２上方ポートと、複数の転送ポートと、複数の上方ワイヤとを備える。
【００１１】
前記上方の板の前記側部は、前記第２下方ポートを有する前記下方の板の側部から突出している。前記上方感知領域は、前記上方の板の下面に形成され、前記第１方向と直交する第２方向に平行に整列されている。各上方感知領域は、連続的に接続された複数の上方感知ユニットを有する。各第１上方ポートは前記第２方向の一方の最外側の上方感知ユニットの縁部に形成されている。各第２上方ポートは、前記上方の板の前記下面に形成され、前記上方の板の前記側部の下面へ伸びている。前記第２上方ポートの数は前記第１上方ポートの数と一致している。各転送ポートは、前記上方の板の前記下面に形成され、前記上方の板の前記側部の前記下面へ伸びている。前記転送ポートの数は前記第２下方ポートの数と一致している。前記転送ポートの１つの端部は、対応する第２下方ポートの上に配置されている。各上方ワイヤは前記第１上方ポートと前記第２上方ポートとに接続されている。
【００１２】
前記プリント基板は、前記上方の板の前記側部の前記下面に取り付けられ、前記第２上方ポートと前記転送ポートとに電気的に接続されている。
【００１３】
前記下方感知領域の信号は前記下方ワイヤを経て前記第２下方ポートへ送られる。前記第２下方ポートと前記転送ポートとの間にある前記異方性導電膜は、電流が１方向のみに流れることを許す。前記第２下方ポートは、前記異方性導電膜を介して前記第２下方ポートの上に配置された前記転送ポートに電気的に接続されている。このため、前記下方感知領域からの信号は、さらに、前記転送ポートへ送られ、その後、前記プリント基板へ送られる。
【００１４】
本考案に係る他のタッチパネルは、下方の板と、下方の導電層と、分離層と、絶縁層と、上方の導電層と、上方の板と、柔軟なプリント基板とを含む。
【００１５】
前記下方の導電層は、前記下方の板の上に形成されており、少なくとも１つの下方電極を有する。前記下方電極の１つの端部は前記下方の導電層の１つの側部へ伸びている。
【００１６】
前記分離層は前記下方の導電層の上に形成されている。
【００１７】
前記絶縁層は、前記下方の導電層の上に形成されており、前記下方電極を覆っている。前記絶縁層は、前記下方電極に対応しかつ接するためにそれぞれが前記絶縁層の位置に接着された複数の導電接着剤を有する。
【００１８】
前記上方の導電層は、前記分離層及び前記絶縁層の上に形成されており、前記下方の板より大きい。前記上方の導電層は、側部と、少なくとも１つの上方電極と、複数の転送ポートとを有する。前記側部は、前記下方電極を有する前記下方の板の側部から突出している。前記上方電極は、前記上方の導電層の下面に固定され、前記上方の導電層の３つの側部に平行に伸びている。前記上方電極の端部は前記上方の導電層の前記側部へ伸びている。各転送ポートは前記上方の導電層の前記側部の下面に形成されている。前記転送ポートの数は前記下方電極の数と一致しており、前記転送ポートは前記絶縁層の前記導電接着剤の１つに接している。
【００１９】
前記上方の板は前記上方の導電層の上にある。
【００２０】
前記プリント基板は、前記上方の導電層の前記下面及び前記側部に取り付けられ、前記転送ポートと前記上方電極の前記端部とに電気的に接続されている。
【００２１】
前記下方の導電層の信号は、前記下方電極を経て前記導電接着剤へ送られ、その後、前記上方の導電層の前記転送ポートへ送られ、その後、前記プリント基板へ送られる。
【００２２】
前記プリント基板が、前記上方の板と前記下方の板との間に挟まれているのではなく、前記上方の板の前記下面に取り付けられているため、タッチパネルの均一な厚さが該タッチパネルの美的な魅力を高める。タッチパネルの全ての層は、密着して結合され、良好な気密性を有し、前記プリント基板と前記上方の板及び（又は）前記下方の板との間の隙間への空気の侵入により生じる接触感度の低下を効果的に防ぐために前記タッチパネルの内部に空気が入ることを阻止する。
【００２３】
本考案の他の目的、利点及び新規な特徴は、添付の図面に関する以下の詳細な説明からより明らかになる。
【図面の簡単な説明】
【００２４】
【図１】本考案の実施例に係るタッチパネルの分解斜視図。
【図２】図１に示したタッチパネルの部分断面図。
【図３】図１に示したタッチパネルの他の部分断面図。
【図４】本考案の他の実施例に係るタッチパネルの分解斜視図。
【図５】図４に示したタッチパネルの部分断面図。
【考案を実施するための形態】
【００２５】
本考案は、静電容量式タッチパネル及び抵抗膜式タッチパネルのいずれかに適用される。図１ないし３に示すように、前記静電容量式タッチパネルは、下方の板１０と、異方性導電膜２１と、絶縁層２２と、上方の板３０と、柔軟なプリント基板４０とを含む。
【００２６】
下方の板１０は、電磁シールド（EMI（電磁妨害）シールド）層１１と、複数の下方感知領域１２と、複数の第１下方ポート１２２と、複数の第２下方ポート１３と、複数の下方ワイヤ１４とを備える。電磁シールド層１１は、下方の板１０の下面に形成されており、酸化インジウムスズからなる。下方感知領域１２は、下方の板１０の上面に形成され、第１方向に平行に整列されている。各下方感知領域１２は、連続的に接続された、それぞれが酸化インジウムスズからなる複数の下方感知ユニット１２１を有する。各第１下方ポート１２２は、前記第１方向の一方の最外側の下方感知ユニット１２１の縁部に形成されており、導電性材料からなる。第２下方ポート１３は、下方の板１０の前記上面の縁領域に集中的に形成されており、導電性材料からなる。第２下方ポート１３の数は第１下方ポート１２２の数と一致している。各下方ワイヤ１４は、下方の板１０の前記上面に固定され、第１下方ポート１２２と第２下方ポート１３とに接続されており、導電性の銀線である。
【００２７】
異方性導電膜２１は、下方の板１０の上に形成され、第２下方ポート１３を覆っている。位置合わせを容易にするため、異方性導電膜２１は、下方感知ユニット１２１を覆わないが第２下方ポート１３を覆う程度に大きい。
【００２８】
絶縁層２２は、透明であり、下方の板１０の上に形成されている。
【００２９】
上方の板３０は、透明であり、異方性導電膜２１及び絶縁層２２の上にあり、複数の上方感知領域３１と、複数の第１上方ポート３１２と、複数の第２上方ポート３２と、複数の転送ポート３３と、複数の上方ワイヤ３４とを備える。上方の板３０は、下方の板１０より大きく、第２下方ポート１３を有する下方の板１０の側部から突出する側部を有する。
【００３０】
上方感知領域３１は、上方の板３０の下面に形成され、前記第１方向と直交する第２方向に平行に整列されている。各上方感知領域３１は、下方の板１０の下方感知ユニット１２１で満たされていない部分に対応する連続的に接続された複数の上方感知ユニット３１１を有し、各上方感知ユニットは酸化インジウムスズからなる。各第１上方ポート３１２は、前記第２方向の一方の最外側の上方感知ユニット３１１の縁部に形成されており、導電性材料からなる。第２上方ポート３２及び転送ポート３３は、上方の板３０の前記下面に集中的に形成され、上方の板３０の前記側部の下面へ伸びており、導電性材料からなる。第２上方ポート３２の数は第１上方ポート３１２の数と一致している。転送ポート３３の数は第２下方ポート１３の数と一致している。各上方ワイヤ３４は、上方の板３０の前記下面に固定され、第１上方ポート３１２と第２上方ポート３２とに接続されており、導電性の銀線である。各転送ポート３３の１つの端部は第２下方ポート１３に対応しかつ電気的に接続されている。
【００３１】
プリント基板４０は、上方の板３０の前記側部の前記下面に取り付けられ、第２上方ポート３２と転送ポート３３とに電気的に接続されている。
【００３２】
前記静電容量式タッチパネルでは、上方感知領域３１の信号は、上方ワイヤ３４を経て第２上方ポート３２へ送られ、さらに、柔軟なプリント基板４０へ送られる。下方感知領域１２の信号は下方ワイヤ１４を経て第２下方ポート１３へ送られる。電流が１方向のみに流れることを許す異方性導電膜２１の特性のため、第２下方ポート１３は、異方性導電膜２１を介して第２下方ポート１３の上に配置された転送ポート３３に電気的に接続されている。このため、下方感知領域１２の信号は、さらに、異方性導電膜２１を介して転送ポート３３へ送られ、その後、プリント基板４０へ送られる。
【００３３】
図４、５に示すように、前記抵抗膜式タッチパネルは、下方の板５０と、下方の導電層５１と、分離層６１と、絶縁層６２と、上方の導電層７１と、上方の板７０と、柔軟なプリント基板８０とを含む。
【００３４】
下方の板５０は透明である。下方の導電層５１は、透明であり、下方の板５０の上に形成されており、酸化インジウムスズからなり、少なくとも１つの下方電極５１１を有する。下方電極５１１の数は使用上の要件に基づいて選択されている。例えば、５ワイヤタッチパネルでは、下方の導電層５１は４つの下方電極５１１を有する。下方電極５１１は銀電極である。下方電極５１１の１つの端部は下方の導電層５１の１つの側部へ伸びている。
【００３５】
分離層６１及び絶縁層６２は下方の導電層５１の上に形成されている。絶縁層６２は、分離層６１の縁部を取り巻き、下方電極５１１を覆っている。絶縁層６２は、下方電極５１１に対応しかつ接するためにそれぞれが絶縁層６２の位置に接着された複数の導電接着剤６２１を有する。導電接着剤６２１は異方性導電接着剤である。
【００３６】
上方の導電層７１は、透明であり、分離層６１及び絶縁層６２の上に形成されており、酸化インジウムスズからなる。上方の導電層７１は下方の板５０より大きい。上方の導電層７１は、側部と、少なくとも１つの上方電極７１１と、複数の転送ポート７１２とを有する。前記側部は、下方電極５１１を有する下方の板５０の側部から突出している。上方電極７１１は、上方の導電層７１の下面に形成され、上方の導電層７１の３つの側部に平行に伸びている。５ワイヤタッチパネルの場合、上方電極７１１は上方の導電層７１の前記下面に形成されている。上方電極７１１の端部は上方の導電層７１の前記側部の下面へ伸びている。上方の導電層７１は、それぞれが前記側部の前記下面に形成された複数の転送ポート７１２を有する。転送ポート７１２の数は下方電極５１１の数と一致している。各転送ポート７１２は絶縁層６２の導電接着剤６２１の１つに接している。
【００３７】
上方の板７０は、透明であり、上方の導電層７１の上にある。プリント基板８０は、上方の導電層７１の前記下面及び前記側部の前記下面に取り付けられ、転送ポート７１２と上方電極７１１の前記端部とに電気的に接続されている。
【００３８】
前記抵抗膜式タッチパネルでは、上方の導電層７１の信号は上方電極７１１を経てプリント基板８０へ送られる。下方の導電層５１の信号は、下方電極５１１を経て導電接着剤６２１へ送られ、その後、上方の導電層７１の転送ポート７１２へ送られ、その後、プリント基板８０へ送られる。
【００３９】
転送ポート３３、７１２と第２上方ポート３２又は上方電極７１１の前記端部とは上方の板３０、７０の前記下面に集中的に形成されており、プリント基板４０、８０の端子を転送ポート３３、７１２と第２上方ポート３２又は上方電極７１１の前記端部とに容易に整列させることができる。プリント基板４０、８０が、上方の板３０、７０と下方の板１０、５０との間に配置されているのではなく、上方の板３０、７０の前記下面に取り付けられているため、タッチパネルの均一な厚さが該タッチパネルの外観の美的な魅力を高める。タッチパネルの全ての層が密着して結合されかつ良好な気密性を有し、これにより、前記プリント基板と前記上方の板及び（又は）前記下方の板との間の隙間への空気の侵入から生じる接触感度の低下の欠点を効果的に解決することができる。
【符号の説明】
【００４０】
１０、５０    下方の板
１１    電磁シールド層
１２    下方感知領域
１３    第２下方ポート
１４    下方ワイヤ
２１    異方性導電膜
２２    絶縁層
３０、７０    上方の板
３１    上方感知領域
３２    第２上方ポート
３３    転送ポート
３４    上方ワイヤ
４０、８０    プリント基板
５１    下方の導電層
６１    分離層
６２    絶縁層
７１    上方の導電層
１２１    下方感知ユニット
１２２    第１下方ポート
３１１    上方感知ユニット
３１２    第１上方ポート
５１１    下方電極
６２１    導電接着剤
７１１    上方電極
７１２    転送ポート
【図１】
0003166451.tif 000003
【図２】
0003166451.tif 000004
【図３】
0003166451.tif 000005
【図４】
0003166451.tif 000006
【図５】
0003166451.tif 000007